(57)【要約】【課題】  簡易な構成によりオンライン上でコンテンツ購入前の販促サービスを実現できるようにすることを課題とする。【解決手段】  コンテンツデータをコンテンツＩＤに対応付けて記憶し、複数のコンテンツを１つのパッケージとして扱い、パッケージ別に、パッケージＩＤ、コンテンツ毎のコンテンツ名とコンテンツＩＤとの組み合わせ、および、画像特徴情報を対応付けて記憶し、携帯端末から画像データを受信し、受信した画像データに基づいて画像特徴情報を取得してこれに対応するパッケージＩＤを取得し、このパッケージＩＤに対応する複数のコンテンツ名を抽出して携帯端末に送信し、送信したコンテンツ名のうち携帯端末が要求するコンテンツ名に対応するコンテンツＩＤを取得して対応するコンテンツデータを読み出し、読み出したコンテンツデータを携帯電話に送信する、サーバシステム。【選択図】  図１
2005128670.tif 000002
【特許請求の範囲】
【請求項１】
ネットワークを通じて携帯端末との間で通信するサーバシステムであって、
コンテンツデータをコンテンツＩＤに対応付けて記憶する第１記憶手段と、
複数のコンテンツを１つのパッケージとして扱い、パッケージ別に、当該パッケージＩＤ、コンテンツ毎のコンテンツ名と前記第１記憶手段に記憶されたコンテンツＩＤとの組み合わせ、および、画像特徴情報を対応付けて記憶する第２記憶手段と、
携帯端末から画像データを受信する画像受信手段と、
前記画像受信手段により受信された画像データに基づいて画像認識から画像特徴情報を取得し、前記第２記憶手段から当該画像特徴情報に対応するパッケージＩＤを取得するＩＤ取得手段と、
前記第２記憶手段から前記ＩＤ取得手段で取得されたパッケージＩＤに対応する複数のコンテンツ名を抽出し、当該抽出された複数のコンテンツ名を前記携帯端末に送信するコンテンツ名送信手段と、
前記第２記憶手段を参照して、前記コンテンツ名送信手段で送信されたコンテンツ名のうちで前記携帯端末が要求するコンテンツ名に対応するコンテンツＩＤを取得し、当該コンテンツＩＤに対応するコンテンツデータを前記第１記憶手段から読み出す読出手段と、
前記読出手段で読み出されたコンテンツデータを前記携帯電話に送信するコンテンツ送信手段と、
を備えたことを特徴とするサーバシステム。
【請求項２】
さらに、会員情報を記憶する会員記憶手段を有し、前記読出手段は、前記会員記憶手段を参照して会員か否かを判断し、会員の場合にのみコンテンツＩＤを取得することを特徴とする請求項１に記載のサーバシステム。
【請求項３】
前記画像特徴情報は、ＣＤジャケットの画像に基づく情報であることを特徴とする請求項１または２に記載のサーバシステム。
【請求項４】
ネットワークを通じて携帯端末との間で通信するコンピュータを制御するコンピュータプログラムであって、コンピュータに、
コンテンツデータをコンテンツＩＤに対応付けて記憶する第１記憶制御と、
複数のコンテンツを１つのパッケージとして扱い、パッケージ別に、当該パッケージＩＤ、コンテンツ毎のコンテンツ名と前記第１記憶制御によって記憶されたコンテンツＩＤとの組み合わせ、および、画像特徴情報を対応付けて記憶する第２記憶制御と、
携帯端末から画像データを受信する画像受信制御と、
前記画像受信制御により受信された画像データに基づいて画像認識から画像特徴情報を取得し、前記第２記憶制御による記憶内容から当該画像特徴情報に対応するパッケージＩＤを取得するＩＤ取得制御と、
前記第２記憶制御による記憶内容から前記ＩＤ取得制御で取得されたパッケージＩＤに対応する複数のコンテンツ名を抽出し、当該抽出された複数のコンテンツ名を前記携帯端末に送信するコンテンツ名送信制御と、
前記第２記憶制御による記憶内容を参照して、前記コンテンツ名送信制御で送信されたコンテンツ名のうちで前記携帯端末が要求するコンテンツ名に対応するコンテンツＩＤを取得し、当該コンテンツＩＤに対応するコンテンツデータを前記第１記憶制御による記憶内容から読み出す読出制御と、
前記読出制御で読み出されたコンテンツデータを前記携帯電話に送信するコンテンツ送信制御と、
を行わせるコンピュータプログラム。
【請求項５】
さらに、会員情報を記憶する会員記憶制御を含み、前記読出制御が、前記会員記憶制御による記憶内容を参照して会員か否かを判断し、会員の場合にのみコンテンツＩＤを取得することを特徴とする請求項４に記載のコンピュータプログラム。
【請求項６】
前記画像特徴情報が、ＣＤジャケットの画像に基づく情報であることを特徴とする請求項４または５に記載のコンピュータプログラム。
【請求項７】
サーバシステムが、携帯端末との間で、ネットワークを通じて通信する方法であって、
コンテンツデータをコンテンツＩＤに対応付けて記憶する第１記憶ステップと、
複数のコンテンツを１つのパッケージとして扱い、パッケージ別に、当該パッケージＩＤ、コンテンツ毎のコンテンツ名と前記第１記憶ステップで記憶されたコンテンツＩＤとの組み合わせ、および、画像特徴情報を対応付けて記憶する第２記憶ステップと、
携帯端末から画像データを受信する画像受信ステップと、
前記画像受信ステップにより受信された画像データに基づいて画像認識から画像特徴情報を取得し、前記第２記憶ステップの記憶内容により当該画像特徴情報に対応するパッケージＩＤを取得するＩＤ取得ステップと、
前記第２記憶ステップの記憶内容により前記ＩＤ取得ステップで取得されたパッケージＩＤに対応する複数のコンテンツ名を抽出し、当該抽出された複数のコンテンツ名を前記携帯端末に送信するコンテンツ名送信ステップと、
前記第２記憶ステップの記憶内容を参照して、前記コンテンツ名送信ステップで送信されたコンテンツ名のうちで前記携帯端末が要求するコンテンツ名に対応するコンテンツＩＤを取得し、当該コンテンツＩＤに対応するコンテンツデータを前記第１記憶ステップの記憶内容から読み出す読出ステップと、
前記読出ステップで読み出されたコンテンツデータを前記携帯電話に送信するコンテンツ送信ステップと、
を備えたことを特徴とする方法。
【請求項８】
さらに、会員情報を記憶する会員記憶ステップを有し、前記読出ステップは、前記会員記憶ステップの記憶内容を参照して会員か否かを判断し、会員の場合にのみコンテンツＩＤを取得することを特徴とする請求項７に記載の方法。
【請求項９】
前記画像特徴情報は、ＣＤジャケットの画像に基づく情報であることを特徴とする請求項７または８に記載の方法。
【発明の詳細な説明】
【技術分野】
【０００１】
本発明は、たとえば、サーバシステム、オンライン販促活動プログラムおよびオンライン販促活動方法に関するものである。
【背景技術】
【０００２】
エンタテインメント系の商品のひとつであるＣＤを販売するＣＤショップなどでは、2枚以上の購入者に対して通常の単価よりも引き下げたディスカウントが一般的に行われている。
【０００３】
一方、インターネットにおいては、オンラインショッピングによりＣＤを購入する顧客が増えていることは事実である。販促活動のひとつとして、ある金額以上の購入があれば、郵送料をなしとするサービスが提供されている。また、オンラインでの購入申込数が増えるごとに、対応するより安い価格で取引が成立するものもある（例えば、下記特許文献１）。
【０００４】
【特許文献１】特開２００２−３１８９２７号公報
【発明の開示】
【発明が解決しようとする課題】
【０００５】
上述したように従来の仕組みでは、顧客がＣＤを購入した場合にはじめてディスカウントなどのサービスを享受できるようになっているので、サーバ側に負担がかかる費用計算などの処理が膨大になるという危惧があった。そこで、今日、簡易なシステムによりコンテンツ購入前の販促サービスを実現するシステムが期待されていた。
【０００６】
本発明の目的は、ＣＤなどのコンテンツ商品の販売を促進するため、簡易な構成によりオンライン上でコンテンツ購入前の販促サービスを実現することが可能なサーバシステム、オンライン販促活動プログラムおよびオンライン販促活動方法を提供する点にある。
【課題を解決するための手段】
【０００７】
上述した課題を解決し、上記目的を達成するため、請求項１の発明に係るサーバシステムは、ネットワークを通じて携帯端末との間で通信するサーバシステムであって、コンテンツデータをコンテンツＩＤに対応付けて記憶する第１記憶手段と、複数のコンテンツを１つのパッケージとして扱い、パッケージ別に、当該パッケージＩＤ、コンテンツ毎のコンテンツ名と前記第１記憶手段に記憶されたコンテンツＩＤとの組み合わせ、および、画像特徴情報を対応付けて記憶する第２記憶手段と、携帯端末から画像データを受信する画像受信手段と、前記画像受信手段により受信された画像データに基づいて画像認識から画像特徴情報を取得し、前記第２記憶手段から当該画像特徴情報に対応するパッケージＩＤを取得するＩＤ取得手段と、前記第２記憶手段から前記ＩＤ取得手段で取得されたパッケージＩＤに対応する複数のコンテンツ名を抽出し、当該抽出された複数のコンテンツ名を前記携帯端末に送信するコンテンツ名送信手段と、前記第２記憶手段を参照して、前記コンテンツ名送信手段で送信されたコンテンツ名のうちで前記携帯端末が要求するコンテンツ名に対応するコンテンツＩＤを取得し、当該コンテンツＩＤに対応するコンテンツデータを前記第１記憶手段から読み出す読出手段と、前記読出手段で読み出されたコンテンツデータを前記携帯電話に送信するコンテンツ送信手段と、を備える。
【０００８】
さらに、会員情報を記憶する会員記憶手段を有し、前記読出手段は、前記会員記憶手段を参照して会員か否かを判断し、会員の場合にのみコンテンツＩＤを取得するようにすることができる。
【０００９】
また、前記画像特徴情報は、ＣＤジャケットの画像に基づく情報であることことが有利である。
【００１０】
また、本発明は、ネットワークを通じて携帯端末との間で通信するコンピュータを制御するコンピュータプログラムであって、コンピュータに、コンテンツデータをコンテンツＩＤに対応付けて記憶する第１記憶制御と、複数のコンテンツを１つのパッケージとして扱い、パッケージ別に、当該パッケージＩＤ、コンテンツ毎のコンテンツ名と前記第１記憶制御によって記憶されたコンテンツＩＤとの組み合わせ、および、画像特徴情報を対応付けて記憶する第２記憶制御と、携帯端末から画像データを受信する画像受信制御と、前記画像受信制御により受信された画像データに基づいて画像認識から画像特徴情報を取得し、前記第２記憶制御による記憶内容から当該画像特徴情報に対応するパッケージＩＤを取得するＩＤ取得制御と、前記第２記憶制御による記憶内容から前記ＩＤ取得制御で取得されたパッケージＩＤに対応する複数のコンテンツ名を抽出し、当該抽出された複数のコンテンツ名を前記携帯端末に送信するコンテンツ名送信制御と、前記第２記憶制御による記憶内容を参照して、前記コンテンツ名送信制御で送信されたコンテンツ名のうちで前記携帯端末が要求するコンテンツ名に対応するコンテンツＩＤを取得し、当該コンテンツＩＤに対応するコンテンツデータを前記第１記憶制御による記憶内容から読み出す読出制御と、前記読出制御で読み出されたコンテンツデータを前記携帯電話に送信するコンテンツ送信制御と、を行わせるコンピュータプログラムを提供する。
【００１１】
このコンピュータプログラムは、会員情報を記憶する会員記憶制御を含み、前記読出制御が、前記会員記憶制御による記憶内容を参照して会員か否かを判断し、会員の場合にのみコンテンツＩＤを取得することができる。
【００１２】
また、このコンピュータプログラムの扱う前記画像特徴情報は、ＣＤジャケットの画像に基づく情報であることができる。
【００１３】
本発明はまた、サーバシステムが、携帯端末との間で、ネットワークを通じて通信する方法であって、コンテンツデータをコンテンツＩＤに対応付けて記憶する第１記憶ステップと、複数のコンテンツを１つのパッケージとして扱い、パッケージ別に、当該パッケージＩＤ、コンテンツ毎のコンテンツ名と前記第１記憶ステップに記憶されたコンテンツＩＤとの組み合わせ、および、画像特徴情報を対応付けて記憶する第２記憶ステップと、携帯端末から画像データを受信する画像受信ステップと、前記画像受信ステップにより受信された画像データに基づいて画像認識から画像特徴情報を取得し、前記第２記憶ステップの記憶内容により当該画像特徴情報に対応するパッケージＩＤを取得するＩＤ取得ステップと、前記第２記憶ステップの記憶内容により前記ＩＤ取得ステップで取得されたパッケージＩＤに対応する複数のコンテンツ名を抽出し、当該抽出された複数のコンテンツ名を前記携帯端末に送信するコンテンツ名送信ステップと、前記第２記憶ステップの記憶内容を参照して、前記コンテンツ名送信ステップで送信されたコンテンツ名のうちで前記携帯端末が要求するコンテンツ名に対応するコンテンツＩＤを取得し、当該コンテンツＩＤに対応するコンテンツデータを前記第１記憶ステップの記憶内容から読み出す読出ステップと、前記読出ステップで読み出されたコンテンツデータを前記携帯電話に送信するコンテンツ送信ステップと、を備えたことを特徴とする方法を提供する。
【００１４】
この方法は、さらに、会員情報を記憶する会員記憶ステップを有し、前記読出ステップが、前記会員記憶ステップの記憶内容を参照して会員か否かを判断し、会員の場合にのみコンテンツＩＤを取得するようにすることができる。
【００１５】
また、この方法では、前記画像特徴情報が、ＣＤジャケットの画像に基づく情報であることが有利である。
【発明の効果】
【００１６】
本発明によれば、簡易な構成によりオンライン上でコンテンツ購入前の販促サービスを実現することが可能となる。この場合、ＣＤなどのコンテンツ商品の販売を促進することが可能となる。
【発明を実施するための最良の形態】
【００１７】
以下、添付図面を参照して本発明に係る一実施の形態を詳述する。
【００１８】
図１は、本発明の一実施の形態における、全体システムを示す図である。
【００１９】
このシステムでは、サーバ４と、サーバ４に接続された着メロＤＢ５および会員ＤＢ６により、インターネット３および移動体通信網２を介して、携帯電話（代表として携帯電話１を示す）の利用者に、ＣＤの楽曲を対象としたサービスを提供する。
【００２０】
携帯電話１は、通常の携帯電話機能の他に、ディスプレイ１１、カメラ１２、通信ＡＰ（アプリケーション）１３および撮像ＡＰ（アプリケーション）１４を備え、ＣＤのジャケットの画像を撮像、記憶してサーバ４内に送信したり、サーバ４から返信されたサービス選択肢を受信して表示し、利用者の希望するサービス選択肢を選ばせてさらにこれを送信することができる。
【００２１】
また、サーバ４は、本発明の通信を担当する通信ＡＰ（アプリケーション）４１、および送信されたＣＤジャケットの画像を認識するための画像認識エンジン４２を備えている。
【００２２】
また、着メロＤＢ５は、ＣＤ曲リスト情報テーブル５１と着メロ情報テーブル５２を備えており、ＣＤジャケットに対応した曲リストの着メロを特定することができる。
【００２３】
会員ＤＢ６は、会員登録や会員認証などを行うことを可能にし、例えばオンラインでの認証や決済の支援を可能にしている。
【００２４】
携帯電話１の例としての構成を、図２に、より詳細に示す。内部システムバス２６に、通信処理部１５、音声処理部１７、ＣＰＵ２０、ＲＯＭ２１、ＲＡＭ２２、キー群２５、ディスプレイ１１、カメラ１２などを接続させ、データ、アドレス信号、制御信号などを伝送させることで各種の処理を実現する構成である。
【００２５】
通信処理部１５は、アンテナ１６に接続され、アンテナ１６を介して移動体通信網２と通信を行うものである。この通信処理部１５により、音声通話やサーバ４との通信を実現することができる。
【００２６】
音声処理部１７は、音声出力のためのスピーカ１８、音声入力のためのマイク１９をそれぞれ接続させており、受話時や送話時の音声処理を行うものである。
【００２７】
ＣＰＵ２０は、携帯電話１全体の制御をＲＯＭ２１に格納されたＯＳにしたがって行うものである。ＲＯＭ２１は、あらかじめインストールされているＯＳなどのプログラムを格納している。ＣＰＵ２０は、携帯用の各種アプリケーション（たとえばＪＡＶＡ（登録商標）アプリケーション）により本実施の形態による処理などを制御する。また、このＣＰＵ２０は、キー群２５からの入力を受け付けて各種の処理を実行させたり、各種の処理に応じてディスプレイ１１への表示を制御したりする。
【００２８】
ＲＡＭ２２は、本実施の形態による通信を実現するためのアプリケーション１３、撮像処理のための撮像ＡＰ（アプリケーション）１４、着信メロディコンテンツや撮像結果を格納するためのコンテンツ格納エリア２３および各種処理を行うためのワークエリア２４等を備えている。キー群２５は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００２９】
サーバ４は、たとえば図３に示したように、インターネット３に接続され、インターネット３を介して携帯電話との通信を制御したり、インターネット３に接続される各種端末との通信を制御する通信制御部４３、サーバ全体の制御を司る制御部４４、通信アプリケーション４１を記憶するとともにワークエリア４７などの領域を有する記憶部４６、ＣＤジャケットの画像を認識してＩＤを特定するための画像認識エンジン４８、着メロＤＢ５および会員ＤＢ６と接続するためのＤＢインターフェース４５などを備えている。
【００３０】
ここで、着メロＤＢ５について説明する。ＣＤ曲リスト情報テーブル５１の内容は、例えば図４に示すように、ＣＤを示すＣＤＩＤ、ＣＤのタイトルデータを示すＣＤタイトルデータ、曲リストデータ、画像特徴情報からなる。
【００３１】
ＣＤＩＤは、たとえばＣＤを識別するためのシリアル番号（ＩＤ００１、ＩＤ００２、・・・）である。
【００３２】
ＣＤタイトルデータは、利用者に送信して確認をとったりサーバ管理者が確認するためのものである。
【００３３】
曲リストデータは、曲名と着メロＩＤとの組み合わせの集合として記憶される。例えば、曲名が「あああ」は、着メロＩＤが「ＩＤＭ００１」となる。
【００３４】
画像特徴情報は、ＣＤジャケットの撮像画像から抽出される輪郭や色情報などによる特徴を示す。この画像特徴情報を利用者の携帯電話から送られてきた撮像画像と照合することによりＣＤＩＤを特定するのに用いることができる。たとえば、ＣＤＩＤがＩＤ００１に対しては、画像特徴情報ＣＨＲ１が対応づけられている。
【００３５】
図５は、着メロ情報テーブルテーブル５２の内容を示す図である。このテーブルに、着メロＩＤと楽曲データのパス（例えば、ファイル名）との対応を記憶している。例えば、着メロＩＤがＩＤＭ００１に対して、楽曲データＭＤＡＴＡ００１を対応付けている。
【００３６】
図６、図７は、当該実施の形態の一実施例における、携帯電話１並びにサーバ４の処理および通信の内容を示すフローチャートであり、図８は、この通信における携帯電話１側の画面遷移を示すものである。
【００３７】
ステップＳ１０１で携帯電話１が、会員サイトにアクセスすると、ステップＳ２０１でサーバ４がこのアクセスを受付けて、本発明による会員サイトのウェブページの画像を準備し、ステップＳ２０２で当該会員サイトのウェブページの画像を送信する。ステップＳ１０２では携帯電話１がこの画像を受信して（図示しない）画面表示を行う。
【００３８】
この画像を見たユーザにおいては、ステップＳ１０３で、携帯電話１のキー群２５を操作することにより着メロサービスページを要求することができる。この要求を受信したサーバ４は、ステップＳ２０３で着メロサービスページの画像を準備して、ステップＳ２０４で送信する。ついでステップＳ１０４で携帯電話１がこの画像を受信して画面表示（図８（Ａ））を行う。ここでは、選択項目１０１、１０２が表示されている。
【００３９】
１０１は、着メロを選ぶだめの選択項目を示し、１０２はＣＤジャケットを撮像して送信するための選択項目を示す。次いでステップＳ１０５で利用者がキー群２５を操作（１０２をカーソル選択）するとカメラが起動する（図８（Ｂ））。オブジェクト（ＣＤジャケット）の画像が撮像（入力）され（ステップＳ１０６）、画像送信が操作されると、画像の送信が実行される（ステップＳ１０７、図８（Ｃ））。
【００４０】
ついで、ステップＳ２０５でこの画像を受信したサーバ４は、ステップＳ２０６で画像認識エンジン４２によりＣＤジャケットの判定を行う。この判定は図４の画像特徴情報に基づいて行い、結果としては、対応するＣＤＩＤおよびＣＤタイトルデータ（図４）が特定される。たとえば、画像特徴情報がＣＨＲ１であった場合には、ＣＤＩＤはＩＤ００１、ＣＤのタイトルデータは××××、曲リストデータは「あああ：ＩＤＭ００１・・・」であることを確認する。
【００４１】
ステップＳ２０７では、サーバ４が、ＣＤ００１に対応するＣＤタイトルデータ（××××）を送信し、ステップＳ１０８で携帯電話１がこれを受信してこのＣＤタイトルのウェブ画面表示を行う（図８（Ｄ））。
【００４２】
ついでステップＳ１０９で、ユーザの操作により、ＣＤタイトルに対する確認（図８（Ｄ）のアイコン１０３）を送信し、ステップＳ２０８では、サーバ４がこの確認を受け付け、確認されたＣＤタイトルに対応する曲リストデータ（あああ：ＩＤＭ００１・・・）をステップＳ２１０で携帯電話１に送信する。
【００４３】
携帯電話１では、ステップＳ１１０でこの曲リストデータを受信してウェブ画面表示（図８（Ｅ））し、ユーザに曲の選択（図８（Ｅ）のカーソル１０４等）を促す。ステップＳ１１１では、ユーザの操作により選択された曲（たとえば、曲「かかか」のＩＤＭ１０１）がサーバ４に送信される。
【００４４】
ステップＳ２１１では、送信された選曲データに付随する情報や図示しない認証ステップにより会員ＤＢ６を参照して携帯電話１のユーザの会員判定が行われ、非会員の場合には会員登録処理がうながされる。一方、会員であった場合には、ステップＳ２１２で選曲に対応するＩＤ１０１の受信および選曲されたそのＩＤに対応する着メロデータの着メロＤＢ５からの読み出しが行われ、ステップＳ２１３ではこの読み出した着メロデータの送信が行われる。選曲できる数はあらかじめ決められており、選曲可能数が複数の場合にはステップＳ２１４の無料ダウンロード終了の判断でその回数分だけ繰り返してステップＳ２１２に戻って選曲された着メロデータの送信が行われる。ステップＳ２１４で無料ダウンロードが終了している場合は、ステップＳ２１５に進んでダウンロード終了通知が送信され、サーバ側の処理は終了（エンド）となる。
【００４５】
一方、携帯電話１側では、着メロデータのダウンロード（ステップＳ１１２、図８（Ｅ））およびコンテンツ格納エリア２３への保存処理（ステップＳ１１３）を行った後、サーバ４からの終了通知が届くまでは処理はステップＳ１１１に戻る（ステップＳ１１４）。その後、終了通知が届くと（ステップＳ１１４）、これに基づいた画面表示を行い、終了となる（エンド）。
【００４６】
以上説明したように本実施の形態によれば、簡易な構成によりオンライン上でコンテンツ購入前の販促サービスを実現することが可能となる。この場合、ＣＤなどのコンテンツ商品の販売を促進することが可能となる。
【産業上の利用可能性】
【００４７】
本発明は、サーバシステム、オンライン販促活動プログラムおよびオンライン販促活動方法を製造する産業で利用される。
【図面の簡単な説明】
【００４８】
【図１】本発明の一実施形態における、全体システムを示す図である。
【図２】本発明の一実施形態における携帯端末の構成を示す図である。
【図３】本発明の一実施形態におけるサーバシステムの構成を示す図である。
【図４】本発明の一実施形態におけるデータベース（ＤＢ）の一テーブルの内容を示す図である。
【図５】本発明の一実施形態におけるデータベース（ＤＢ）の別のテーブルの内容を示す図である。
【図６】本発明の一実施例における、携帯電話（携帯端末）並びにサーバシステムの処理および通信の内容を示すフローチャートである。
【図７】図６の続きを示すフローチャートである。
【図８】本発明の一実施例における、画面遷移を示す図である。
【符号の説明】
【００４９】
１  携帯電話
１１  ディスプレイ
１２  カメラ
１３  通信アプリケーション（携帯電話側）
１４  撮像アプリケーション（携帯電話側）
１５  通信処理部
１６  アンテナ
１７  音声処理部
１８  スピーカ
１９  マイク
２０  ＣＰＵ
２１  ＲＯＭ
２３  コンテンツ格納エリア
２４  ワークエリア
２５  キー群
２６  システムバス（データ＆制御）
２  移動体通信網
３  インターネット
４  サーバ
４１  通信アプリケーション（サーバ側）
４２、４８  画像認識エンジン
４３  通信制御部
４４  （全体）制御部
４５  ＤＢインターフェース
５  着メロデータベース（ＤＢ）
５１  ＣＤ曲リスト情報
５２  着メロ情報
６  会員ＤＢ
【図１】
2005128670.tif 000003
【図２】
2005128670.tif 000004
【図３】
2005128670.tif 000005
【図４】
2005128670.tif 000006
【図５】
2005128670.tif 000007
【図６】
2005128670.tif 000008
【図７】
2005128670.tif 000009
【図８】
2005128670.tif 000010